(57)【要約】【課題】サーベイメータ等の放射線測定装置において、持ちやすい形態を実現する。【解決手段】本体１２の下側には下方に突出する形態をもって電池ボックス１６が設けられている。電池ボックス１６内には傾斜した姿勢で４つの一次電池が収容されている。電池ボックス１６の前面１６Ａと本体１２の下面１２Ａとの間に段差構造１０４が形成される。その段差構造１０４に例えば人差し指５８を引っ掛けつつ、サーベイメータ１０を手５７によって保持することが可能である。電池ボックス１６を取り外し、収容スペース３６内に板状の二次電池を配置することも可能である。【選択図】図８
2015040788.tif 000002
【特許請求の範囲】
【請求項１】
可搬型の放射線測定装置であって、
放射線を検出する先端部と、平板状のグリップ部と、を有する本体と、
前記グリップ部の下側において下方へ突出する形態を有し、１又は複数の電池を収容する電池ボックスと、
を含み、
前記本体の下側において前記本体の下面と前記電池ボックスの前面とにより段差構造が形成された、
ことを特徴とする放射線測定装置。
【請求項２】
請求項１記載の放射線測定装置において、
前記電池ボックス内において前記１又は複数の電池が前記本体に対して傾斜した姿勢で収容された、
ことを特徴とする放射線測定装置。
【請求項３】
請求項２記載の放射線測定装置において、
前記本体の下面と前記電池ボックスの前面との間の角度は９０度未満である、
ことを特徴とする放射線測定装置。
【請求項４】
請求項３記載の放射線測定装置において、
前記電池ボックスの下面は前記本体の下面に対して傾斜している、
ことを特徴とする放射線測定装置。
【請求項５】
可搬型の放射線測定装置であって、
放射線を検出する先端部と、前記先端部の後側に設けられた中間部と、前記中間部の後側に設けられたグリップ部と、を有し、長手方向に伸長した本体と、
前記グリップ部の下側において下方へ突出する形態を有し、１又は複数の電池を収容する電池ボックスと、
を含み、
前記本体の下側において前記本体の下面と前記電池ボックスの前面とにより段差構造が形成され、
当該放射線測定装置の重心が前記長手方向において前記段差付近にある、
ことを特徴とする放射線測定装置。
【発明の詳細な説明】
【技術分野】
【０００１】
本発明は放射線測定装置に関し、特に、可搬型の放射線測定装置の形態に関する。
【背景技術】
【０００２】
可搬型の放射線測定装置としてサーベイメータが知られている。サーベイメータは、環境放射線や放射性汚染源からの放射線等を測定する装置である。特許文献１には、全体として平板形の形態を有するサーベイメータが開示されている。そのサーベイメータは、先端部、中間部及びグリップ部を有する。先端部は中間部に対して屈曲部を介して連結されている。中間部の上面には表示器や操作部が設けられている。グリップ部は水平方向から見て薄い平坦な形態を有し、その内部には充電可能な二次電池としての板状のバッテリが収容されている。
【先行技術文献】
【特許文献】
【０００３】
【特許文献１】特許５０４２３８３号公報
【発明の概要】
【発明が解決しようとする課題】
【０００４】
可搬型のサーベイメータの電力源としては、二次電池の他、一次電池があげられる。後者の場合、十分な容量を確保するためには、複数の（例えば４本）の一次電池をセットできるように構成する必要がある。平板形のサーベイメータの場合、その本体内に、複数の一次電池を収容するための十分なスペースは存在していない。そこで、電池ボックスを本体から突出した状態で設ける必要があるが、漫然と電池ボックスを配置すると、保持性や操作性が低下してしまう。例えば、水平方向にグリップ部に並んで電池ボックスを付加的に連結するならば、グリップ部の原形を維持できるとしても、重量バランスが大きく崩れて、操作性が悪くなる。グリップ部の上側に電池ボックスを設ける場合においても操作性が悪くなる。
【０００５】
本発明の目的は、肥大した電池ボックスを有し、手で把持される放射線測定装置において、操作性を向上することにある。あるいは、本発明の目的は、平板形の放射線測定装置において、手で自然に保持できるグリップ形態を実現することにある。
【課題を解決するための手段】
【０００６】
本発明は、可搬型の放射線測定装置であって、放射線を検出する先端部と、平板状のグリップ部と、を有する本体と、前記グリップ部の下側において下方へ突出する形態を有し、１又は複数の電池を収容する電池ボックスと、を含み、前記本体の下側において前記本体の下面と前記電池ボックスの前面とにより段差構造が形成された、ことを特徴とするものである。
【０００７】
上記構成によれば、本体におけるグリップ部の下側に電池ボックスが設けられており、その電池ボックス内の１又は複数の電池から本体内の電子機器に対して電力が供給される。電池ボックスは、望ましくは、複数の一次電池（円筒形電池）を交換可能に収容するものである。複数の一次電池を使用しない場合に、その電池ボックスを取り外せるように構成するのが望ましい。その場合、望ましくは、本体内の電池スペースに例えば薄い平板状の二次電池が収容される。上記構成においては、電池ボックスの前面とが本体の下面とによって段差構造が形成される。
【０００８】
望ましくは、段差構造に例えば人差し指を引っ掛けつつ、電池ボックス及びグリップ部の全体が手で把持される。段差構造に２本の指を引っ掛けることも可能である。このような引っ掛けによって、手から放射線測定装置が前方へ滑り出てしまうことが自然に制限される。例えば、空間線量測定に際して、あるいは、対象物からの放射線の測定に際しては、本体が水平姿勢あるいは前方にやや傾斜した姿勢にされる場合が多い。そのような姿勢において、段差構造に指を引っ掛ければ、力を入れなくても放射線測定装置を安定的に楽に保持することが可能である。平板状つまりおよそ平たいグリップ部を上方から見てくびれ形状にすれば、手での保持をより容易に行える。段差構造に指を引っ掛けた状態では上記のように放射線測定装置の姿勢が安定化するから、例えば、本体上面の操作部に対して親指で操作を行っても、放射線測定装置の姿勢が大きく崩れることはなく、あるいは、放射線測定装置が前方へ滑り出てしまうことはない。なお、電池ボックスを取り外して、平板状のグリップ部を手で保持する場合に、その保持を支援するために、上記の段差構造に相当する引っ掛かりを別途設けてもよい。なお、段差構造に対して常に指を引っ掛けている必要はなく、それは必要に応じて行われるものである。
【０００９】
望ましくは、前記電池ボックス内において前記１又は複数の電池が前記本体に対して傾斜した姿勢で収容される。本体内に電池収容スペースが存在している場合、１又は複数の電池の一部がその電池収容スペース内に差し込まれつつ１又は複数の電池が配置されるようにしてもよい。これによれば電池ボックスの下方への突出量を小さくできる。１又は複数の電池が傾斜した姿勢で配置される場合、それを収容する電池ボックスの下面が自然に斜面となる。その場合、電池ボックスの下方への突出量は、その前端から後端にかけて徐々に増大することになる。そのような電池ボックスの形態は、手による保持に馴染むものである。
【００１０】
望ましくは、前記本体の下面と前記電池ボックスの前面との間の角度は９０度未満である。この構成によれば、段差構造に対して指を引っ掛けることが容易となる。例えば、本体を前傾姿勢にして測定を行う場合、前記角度が９０度の場合に比べて、前記角度が９０度未満であれば、より良好な指の引っ掛け状態を形成できる。
【００１１】
望ましくは、前記電池ボックスの下面は前記本体の下面に対して傾斜している。上記のように、電池ボックスの下方への突出量が、その前端から後端にかけて徐々に増大していれば、電池ボックスを手で自然に保持することが可能である。
【００１２】
本発明は、可搬型の放射線測定装置であって、放射線を検出する先端部と、前記先端部の後側に設けられた中間部と、前記中間部の後側に設けられたグリップ部と、を有し、長手方向に伸長した本体と、前記グリップ部の下側において下方へ突出する形態を有し、１又は複数の電池を収容する電池ボックスと、を含み、前記本体の下側において前記本体の下面と前記電池ボックスの前面とにより段差構造が形成され、当該放射線測定装置の重心が前記長手方向において前記段差付近にある、ことを特徴とするものである。
【００１３】
上記構成によれば、段差構造に引っ掛けている指の付近に重心が位置する。よって、本体が水平姿勢にある場合、電池ボックスやグリップ部を手で強く握らなくても、その姿勢を安定的に維持することが可能である。よって、操作上の負担を軽減できる。先端部が中間部に対して斜め下方へ屈曲している場合、段差構造の両側において垂れ下がった形態が構成され、重心位置は下方へ下がる。その場合、段差構造に指を引っ掛けると、その指の上にやじろべえ（balance toy）のように放射線測定装置が乗っかる。そのような状態では放射線測定装置が一方側に傾斜しても他方側に傾斜しても姿勢復元力が働く。このような状態で放射線測定装置を把持するならば放射線測定装置の姿勢を安定化するための負担が大きく軽減される。重心の位置が上記のような姿勢安定化を得られる範囲内に設定されるのが望ましい。
【発明の効果】
【００１４】
本発明によれば、可搬型の放射線測定装置において操作性を向上することができる。あるいは、全体としておよそ平板形の本体を有する放射線測定装置において手で自然に保持できるグリップ形態を実現できる。
【図面の簡単な説明】
【００１５】
【図１】本発明に係る放射線測定装置の好適な実施形態としてのサーベイメータを示す斜視図である。
【図２】図１に示したサーベイメータを斜め下方から見た様子を示す図である。
【図３】電池ボックスの底面図である。
【図４】図３におけるＢ−Ｂ断面を示す断面図である。
【図５】図３におけるＣ−Ｃ断面を示す断面図である。
【図６】図４におけるＤに示される断面を示す断面図である。
【図７】蓋を取り外した電池ボックスを示す図である。
【図８】段差構造の作用等を説明するための図である。
【図９】電池ボックスが取り外された状態にあるサーベイメータを示す図である。
【発明を実施するための形態】
【００１６】
以下、本発明の好適な実施形態を図面に基づいて説明する。
【００１７】
図１は、本発明に係る放射線測定装置の好適な実施形態が示されており、図１はサーベイメータを示す斜視図である。このサーベイメータは環境放射線や放射性物質からの放射線を測定する放射線測定器である。測定対象となる放射線はγ線である。
【００１８】
サーベイメータ１０は大別して本体１２と電池ボックス１６とにより構成されている。本体１２は、長手方向に伸長した全体として平板状の形態を有する。具体的には、本体１２は、先端部１８、中間部２２及びグリップ部２４を有している。それらは長手方向における前側から後側にかけて並んでいる。先端部１８と中間部２２との間は屈曲部２０である。屈曲部２０において本体１２は屈曲しており、その先の部分が先端部１８である。先端部１８内には放射線検出器が設けられている。中間部２２の上面側には表示器２６が設けられている。表示器２６は例えば液晶表示器により構成される。そこには、線量率、積算線量等が表示される。中間部２２とグリップ部２４との間には操作部２８が設けられている。操作部２８は本実施形態において例えば３つのボタンにより構成されている。グリップ部２４は、上方から見てくびれた形態を有しており、すなわちグリップ部２４の前側及び後側がやや肥大しており、その中間部分がやや細くなっている。
【００１９】
グリップ部２４の下側に下方に突出した形態をもって電池ボックス１６が設けられている。電池ボックス１６は、本実施形態において４本の一次電池を収容するものである。各一次電池は円筒状の形態を有している。もっとも、一次電池として様々な一次電池を利用することが可能である。本実施形態におけるサーベイメータ１０は平板型を有する二次電池を搭載することも可能であり、その場合においては電池ボックス１６は取り外される。これについては後に図９を用いて説明する。
【００２０】
図２には、斜め下方から見たサーベイメータが示されている。上述したように、サーベイメータは本体１２と電池ボックス１６とからなり、電池ボックス１６はグリップ部２４の下側から突出している。電池ボックス１６は、本実施形態において、中空のハウジング３０と、そのハウジング３０の開口に装着される蓋３２と、を有するものである。ハンドル３４の回転操作により蓋３２を取り外し可能である。蓋３２を取り外した状態において、ハウジング３０内に本実施形態において４本の一次電池が差し込まれる。その後、ハウジング３０の開口に対して蓋３２が取り付けられる。開口と蓋３２との間におけるシール性を良好にするためにパッキンが設けられている。
【００２１】
図３には電池ボックス１６の下面が示されている。Ｂ−Ｂ断面が図４に示されており、Ｃ−Ｃ断面が図５に示されている。
【００２２】
図４において、電池ボックス１６は、中空のハウジング３０を有する。ハウジング３０内は４つの電池を収容する空間であり、図４においては、そのうちで２つの電池３８，４０が示されている。サーベイメータの本体におけるグリップ部内には収容スペース３６が形成されている。収容スペース３６は板状の二次電池を収容する空間である。電池ボックス１６が本体に取り付けられている状態では、収容スペース３６の開口がハウジング３０によって覆われる。ハウジング３０内に４つの電池を挿入した状態では、それらのうちで本体側の２つの電池４０の一部分が収容スペース３６内に差し込まれる。本実施形態においては、電池ボックス１６内において、本体に対して傾斜した姿勢をもって４つの電池が配置されている。このような構成によれば、電池ボックス１６への各電池の差し込みを容易に行える。また、後に説明するように、電池ボックス１６の前面及び下面が自然に傾斜面となる。
【００２３】
収容スペース３６の長手方向のサイズは、各電池の長手方向のサイズよりも小さく、収容スペース３６内に水平姿勢をもって電池を配置することはできないが、上記の構成によれば、収容スペース３６内に複数の電池の一部分を収容して、電池ボックス１６の突出量を低く抑えられる。図４において、電池３８と電池４０との間には傾斜した隔壁４２が設けられている。図５において、右側の２本の電池と左側の２本の電池との間に隔壁４４が設けられている。
【００２４】
図６には、図４に示すＤ位置から見た断面が示されている。図６において、符号５０は４つの一次電池を収容する空間を示しており、その空間５０は大別してハウジング内空間４６と本体内空間４８とからなる。本体内空間４８は上述した収容スペースに相当するものである。それはグリップ部２４内に形成されている。ハウジング３０の前壁内面には、４つの電池に接続される端子部材が配置されている。
【００２５】
図７には、蓋を取り外した電池ボックスが示されている。ハウジング内の空間５０内には４つの電池３８，４０，４２，４４が収容されている。
【００２６】
図８には、サーベイメータ１０の側面図が示されている。サーベイメータ１０は本体１２と電池ボックス１６とを有し、本体１２は、先端部１８、中間部２２及びグリップ部２４を有する。先端部１８と中間部２２との間が屈曲部２０である。この屈曲部２０によって先端部１８が斜め下方に向けられている。符号１００は本体１２の軸線であり、それは長手方向に平行である。軸線１０２には、先端部１８の中心線であり、その軸線１０２の方向として主感度方向５４が定義される。先端部１８内には検出器５２が設けられ、この検出器５２によって外部から飛来するγ線５６が検出される。検出器５２は、例えば半導体検出器である。
【００２７】
本体１２における中間部２２及びグリップ部２４は横方向から見ておよそ平板状の形態を有し、本体１２における上面は平面であり、また下面１２Ａも実質的に平面である。下面１２Ａから下方に突出するように電池ボックス１６が設けられている。電池ボックス内には上述したように４つの電池が収容されている。電池ボックス１６が有するハウジングが本体１２に形成された収容スペース３６を覆っている。電池ボックス１６に収容された４つの電池のうちで、本体１２に近い側の２本の電池４０の一部分４０Ａが収容スペース３６内に進入している。
【００２８】
電池ボックス１６は、傾斜した下面１６Ｂ及び傾斜した前面１６Ａを有する。下面１６Ｂは、前側から後側にかけて下がっている斜面である。下面１２Ａと前面１６Ａとの間のなす角度θは９０°未満であり、例えば７５〜８５°である。
【００２９】
下面１２Ａと前面１６Ａとにわたって段差構造１０４が形成されている。その段差構造１０４は、電池ボックス１６の前側において、例えば人差し指５８を引っ掛けることが可能なものである。符号６８は、電池ボックス１６が装着されたサーベイメータ１０の重心位置を示している。重心位置６８は、図８に示す実施形態において、段差構造１０４付近にあり、それは下面１２Ａよりもやや下側に位置しており、段差構造１０４に例えば人差し指５８をあてがうと、その人差し指５８上においてサーベイメータ１０がやじろべえのように安定する。
【００３０】
図８には、サーベイメータ１０が水平状態にある場合における手５７による保持が示されている。例えば、上述したように、手５７における人差し指５８が段差構造１０４に引っ掛けられつつ、中指６０、薬指６２及び小指６４が下面１６Ｂ上に回りこむようにして手５７によってサーベイメータ１０が保持される。その場合において、必要に応じて親指６６によって操作部を構成するボタンを操作することが可能である。親指６６が本体１２から離れたとしても、段差構造１０４に対して人差し指５８が引っ掛けられているので、サーベイメータ１０が手５７から前方に滑りだして脱落してしまうといった問題は生じない。また、サーベイメータ１０を側面から見た場合、グリップ部２４と電池ボックス１６とが台形状あるいは楔型形状を有しており、すなわち、把持部分が手に馴染みやすい形態となっているため、サーベイメータ１０を自然に手５７で保持することが可能である。ちなみに、人差し指５８を含む４本の指を下面１６上にあてがうことにより、手５７によってサーベイメータ１０を保持するようにしてもよい。
【００３１】
電池ボックス１６の下面を本体１２の下面１２Ａと平行な面とすることも可能である。その場合においては、複数の電池が水平姿勢で配置されることになる。一方、本実施形態のように、前面１６Ａを傾斜した面とし、かつ、下面１６Ｂを傾斜した面として構成すれば、サーベイメータ１０の保持をより自然に行うことが可能である。ちなみに、段差構造１０４に対して２つの指をかけることもでき、あるいは全ての指で電池ボックス１６を包み込むようにして保持を行うようにしてもよい。状況に応じてサーベイメータ１０に対するさまざまな持ち方を選択することが可能である。サーベイメータ１０を前傾姿勢にしつつ放射線の測定を行う場合、上述したように段差構造１０４に少なくとも１つの指を引っ掛ければサーベイメータ１０が手５７から前方に脱落してしまうことを容易に防止することができる。その場合においても強く握る必要はないから、保持上の負担を軽減できる。また、そのような場合において親指６６を本体１２の上面から離すことができるから、操作性を良好にできるという利点も得られる。
【００３２】
図９には、電池ボックスが取り外された状態にあるサーベイメータ１０が示されている。収容スペース３６内には二次電池６８が配置されている。この二次電池６８は一次電池とは異なり充電可能なものである。もちろん、電池ボックス内に充電可能な電池を収容することも可能である。収容スペース３６内に板状の二次電池６８がセットされたのち、収容スペース３６が有する開口がカバー７０によって閉じられる。このように本実施形態に係るサーベイメータ１０は二次電池による駆動及び一次電池による駆動のいずれかを選択することが可能である。さらに、電源ケーブルを接続できるように構成してもよい。電池ボックスが取り外された状態においては、本体１２が実質的に平板状の形態を有し、この場合においてはグリップ部２４が有するくびれ形状が機能し、本体１２をしっかり手で持つことが可能である。
【符号の説明】
【００３３】
１０  サーベイメータ、１２  本体、１６  電池ボックス、１８  先端部、２２  中間部、２４  グリップ部、２６  表示器、２８  操作部、１０４  段差構造。
【図１】
2015040788.tif 000003
【図２】
2015040788.tif 000004
【図３】
2015040788.tif 000005
【図４】
2015040788.tif 000006
【図５】
2015040788.tif 000007
【図６】
2015040788.tif 000008
【図７】
2015040788.tif 000009
【図８】
2015040788.tif 000010
【図９】
2015040788.tif 000011
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
可搬型の放射線測定装置であって、
放射線を検出する先端部と、平板状のグリップ部と、を有する本体と、
前記グリップ部の下側において下方へ突出する形態を有し、１又は複数の電池を収容する電池ボックスと、
を含み、
前記本体の下側において前記本体の下面と前記電池ボックスの前面とにより段差構造が形成された、
ことを特徴とする放射線測定装置。
【請求項２】
請求項１記載の放射線測定装置において、
前記電池ボックス内において前記１又は複数の電池が前記本体に対して傾斜した姿勢で収容された、
ことを特徴とする放射線測定装置。
【請求項３】
請求項２記載の放射線測定装置において、
前記本体の下面と前記電池ボックスの前面との間の角度は９０度未満である、
ことを特徴とする放射線測定装置。
【請求項４】
請求項３記載の放射線測定装置において、
前記電池ボックスの下面は前記本体の下面に対して傾斜している、
ことを特徴とする放射線測定装置。
【請求項５】
可搬型の放射線測定装置であって、
放射線を検出する先端部と、前記先端部の後側に設けられた中間部と、前記中間部の後側に設けられたグリップ部と、を有し、長手方向に伸長した本体と、
前記グリップ部の下側において下方へ突出する形態を有し、１又は複数の電池である所定本の電池を収容する電池ボックスと、
を含み、
前記本体の下側において前記本体の下面と前記電池ボックスの前面とにより段差構造が形成され、
前記電池ボックス内に前記所定本の電池が収容されている場合に当該放射線測定装置の重心が前記長手方向において前記段差付近にある、
ことを特徴とする放射線測定装置。